(57)【要約】      （修正有）【課題】カード類の送出し厚さを変更するにあたって、その場で容易にワンタッチで必要な厚さに調整することができるカード類の厚さ調整機構を得る。【解決手段】複数のカード類１１を収納する収納部１２から搬送路２に１枚ずつ繰り出されたカード類を送出し口から１枚ずつ送り出すカード類の送出し装置１は、送出し口近くの搬送路上に設けられ、搬送するカード類の厚さを所定厚さで制限するカード類厚さ制限手段４を備える。このカード類厚さ制限手段は、搬送路上を搬送されるカード類の厚さを所定の値に制限する偏心カム３０を有する。偏心カムは、装置外部から回動操作する操作部３２を有し、該操作部は、着脱自在な保護手段で保護されている。【選択図】図１
2012197174.tif 000002
【特許請求の範囲】
【請求項１】
複数のカード類を収納する収納部から搬送路に１枚ずつ繰り出されたカード類を送出し口から１枚ずつ送り出すカード類の送出し装置であって、
前記送出し口近くの搬送路上に設けられ、搬送するカード類の厚さを所定厚さで制限するカード類厚さ制限手段を備え、
このカード類厚さ制限手段は、搬送路上を搬送されるカード類の厚さを所定の値に制限するための偏心カムを有することを特徴とするカード類の送出し装置。
【請求項２】
請求項１記載のカード類の送出し装置において、
前記偏心カムは、装置外部から回動操作するための操作部を有し、
該操作部は、着脱自在な保護手段により保護されていることを特徴とするカード類の送出し装置。
【請求項３】
請求項１または請求項２記載のカード類の送出し装置において、
前記偏心カムは、カード類の厚さを所定厚さで制限するためのカム面を有することを特徴とするカード類の送出し装置。
【請求項４】
請求項１、請求項２または請求項３記載のカード類の送出し装置において、
前記搬送路の一部を構成するガイドプレートを備え、
該ガイドプレートは、前記偏心カムのカム面により前記搬送路内に選択的に臨み、カード類の厚さを適宜制限することを特徴とするカード類の送出し装置。
【請求項５】
請求項１ないし請求項４のいずれか１項に記載のカード類の送出し装置において、
前記偏心カムのカム面またはガイドプレートは、対向する固定ガイドとの間でカード類の厚さを調整するように構成されていることを特徴とするカード類の送出し装置。
【請求項６】
請求項１ないし請求項５のいずれか１項に記載のカード類の送出し装置を、複数のカード類を積み重ねて収納する収納箱と、この収納箱にカード類を収納した際に最下部に位置するカード類を送出し方向へ移動するために下方への力を与える加重手段と、この加重手段による力を受けて最下位置のカード類を送出し方向へ移動させる搬送手段とを備え、この搬送手段により最下位置のカード類を送出し方向に移動させるように構成されたカードディスペンサーに採用したことを特徴とするカード類の送出し装置。
【請求項７】
請求項１ないし請求項５のいずれか１項に記載のカード類の送出し装置を、複数のカード類を積み重ねて収納する収納箱と、この収納箱内でカード類を上下に移動させる搬送手段と、この搬送手段で前記収納箱の上部に移動したカード類の最も上部に位置するカード類を送出し方向へ移動させる搬送手段とを備え、この搬送手段で最上位置のカード類を送出し方向へ移動させるように構成されたカードディスペンサーに採用したことを特徴とするカード類の送出し装置。
【発明の詳細な説明】
【技術分野】
【０００１】  本発明は、例えばプリペイドカード、クレジットカード、ゲームカード等といった様々なカードやこれに類似する各種カードタイプの物品、あるいはこれらを袋詰めした物品（以下、「カード類」という）を順次搬送して送出し口から一枚ずつ送り出すカード類の送出し装置に関し、特にこの送出し装置においてカード類の厚さを所定の厚さ以下に調整する厚さ調整機構を備えてなるカード類の送出し装置に関する。
【背景技術】
【０００２】  例えばテレフォンカードを初めとする各種のプリペイドカードをストック部から一枚ずつ繰り出して搬送させ、送出し口から送り出すものとして、カードディスペンサーと呼ばれるカード送出機が従来から種々知られている（例えば、特許文献１，２，３等参照）。【０００３】  この種のカード送出機としては、多数枚のカードを積層した状態で収納したストック部において、その底部からカードを一枚ずつ繰り出して搬送させ、送出し口から送り出す構造のものと、ストック部にカードを積層状態で昇降動作させる昇降機構を備え、これによりストック部の頂部からカードを一枚ずつ繰り出して搬送させ、送出し口から送り出す構造のものとがあり、種々の構造が採用されている。
【先行技術文献】
【特許文献】
【０００４】
【特許文献１】  特開平６−９６３４９号公報
【特許文献２】  特開平１０−２５０８５６号公報
【特許文献３】  特開平１１−２３６１４０号公報
【発明の概要】
【発明が解決しようとする課題】
【０００５】  ところで、上述したカードディスペンサーと呼ばれるカード送出機において、カード送出し口近くのカード搬送路上に、カードを一枚ずつ送り出す際の間隙を、カード類の厚さ毎に調整することができるカード類の厚さ調整機構を設けた構造をもつものが従来から知られている。【０００６】  このようなカード類の厚さ調整機構として従来一般的なものとしては、例えばカード送出し口近くのカード搬送路の一部に臨んでカード類の厚さを調整可能な厚さ規制板を、相搬送路周辺部材に２本のビスを用いてビス止めするようにした構造が知られている。【０００７】  このような構造では、カード類の厚さが異なるカード類の送出しを行う場合には、２本のビスを緩めて規制板の位置をずらし、カード搬送路に臨んでカードの厚さを規制する規制板部の位置を調整した後、再度ビス止めを行うようになっていた。【０００８】  しかし、このような従来のカード類の厚さ調整機構によれば、カード類の送出し間隙をカード類の厚さ毎の調整するために、厚さ規制板のビス止めによる固定位置を調整するという調整作業は面倒かつ煩雑であった。特に、このような２本のビスを用いることによるビス止め構造では、これら２本のビスを緩めて規制板を移動させながら、カード類の厚さに合わせて必要な厚さになるように調整するという手間がかかり、面倒な調整作業が必要であった。【０００９】  また、このような調整作業は、カード送出機の稼働時間外に行う必要があり、カードの追加・補充作業に比べ、熟練の作業者による長時間の作業が必要で、特別に作業日程の調整が必要であった。特に、上述した従来の調整構造では、カードの厚さを調整するためには、カード送出機を分解して行う必要があり、しかもビスを緩めたり締めたりしながら、微妙な調整を行う必要があり、厚さ調整時間が長くかかるといった問題もあった。【００１０】  本発明はこのような事情に鑑みてなされたものであり、カード類として厚さの異なるものを用いる場合において、その場で必要な厚さに容易にワンタッチで調整して変更することが可能となるカード類の厚さ調整機構を備えてなるカード類の送出し装置を得ることを目的とする。
【課題を解決するための手段】
【００１１】  このような目的に応えるために本発明（請求項１記載の発明）に係るカード類の送出し装置は、複数のカード類を収納する収納部から搬送路に１枚ずつ繰り出されたカード類を送出し口から１枚ずつ送り出すカード類の送出し装置であって、前記送出し口近くの搬送路上に設けられ、搬送するカード類の厚さを所定厚さで制限するカード類厚さ制限手段を備え、このカード類厚さ制限手段は、搬送路上を搬送されるカード類の厚さを所定の値に制限するための偏心カムを有することを特徴とする。【００１２】  本発明（請求項２記載の発明）に係るカード類の送出し装置は、請求項１記載のカード類の送出し装置において、前記偏心カムは、装置外部から回動操作するための操作部を有し、該操作部は、着脱自在な保護手段により保護されていることを特徴とする。【００１３】  本発明（請求項３記載の発明）に係るカード類の送出し装置は、請求項１または請求項２記載のカード類の送出し装置において、前記偏心カムは、カード類の厚さを所定厚さで制限するためのカム面を有することを特徴とする。【００１４】  本発明（請求項４記載の発明）に係るカード類の送出し装置は、請求項１、請求項２または請求項３記載のカード類の送出し装置において、前記搬送路の一部を構成するガイドプレートを備え、該ガイドプレートは、前記偏心カムのカム面により前記搬送路内に選択的に臨み、カード類の厚さを適宜制限することを特徴とする。【００１５】  本発明（請求項５記載の発明）に係るカード類の送出し装置は、請求項１ないし請求項４のいずれか１項に記載のカード類の送出し装置において、前記偏心カムのカム面またはガイドプレートは、対向する固定ガイドとの間でカード類の厚さを調整するように構成されていることを特徴とする。【００１６】  本発明（請求項６記載の発明）に係るカード類の送出し装置は、請求項１ないし請求項５のいずれか１項に記載のカード類の送出し装置を、複数のカード類を積み重ねて収納する収納箱と、この収納箱にカード類を収納した際に最下部に位置するカード類を送出し方向へ移動するために下方への力を与える加重手段と、この加重手段による力を受けて最下位置のカード類を送出し方向へ移動させる搬送手段とを備え、この搬送手段により最下位置のカード類を送出し方向に移動させるように構成されたカードディスペンサーに採用したことを特徴とする。【００１７】  本発明（請求項７記載の発明）に係るカード類の送出し装置は、請求項１ないし請求項５のいずれか１項に記載のカード類の送出し装置を、複数のカード類を積み重ねて収納する収納箱と、この収納箱内でカード類を上下に移動させる昇降手段と、この昇降手段で前記収納箱の上部に移動したカード類の最も上部に位置するカード類を送出し方向へ移動させる搬送手段とを備え、この搬送手段で最上位置のカード類を送出し方向へ移動させるように構成されたカードディスペンサーに採用したことを特徴とする。
【発明の効果】
【００１８】  以上説明したように本発明に係るカード類の送出し装置によれば、搬送されてきたカード類の送出し口からの送出しを行うにあたって、該カード類の厚さ調整を、偏心カムを利用して行うように構成したので、簡単な構成であるにもかかわらず、以下に述べる種々優れた効果を奏する。【００１９】  すなわち、本発明によれば、容易にワンタッチでカード排出の間隙を、調整のバラツキや個人のバラツキを少なくして調整することができる。【００２０】  特に、このような厚さ調整機構を設けることで、カード類の厚さ寸法を例えば、０．１ｍｍ〜５ｍｍというように厚さの異なるカードや袋入りのカードやその他の多様なカード類の厚さのものに対応でき、使用部品の点数も少なくて済み、カード類の厚さごとに数種類の機種を用意する必要もなく、低価格で短納期に対応できる。【００２１】  また、本発明によれば、多種のカード類に対してそれぞれの厚さに対応した搬送路上の間隙を、稼働時間外でなく稼動時間内に調整ができるようにもなる。
【図面の簡単な説明】
【００２２】
【図１】  本発明に係るカード類の送出し装置の一実施形態を示し、その要部構成を説明するための概略構成図である。
【図２】  図１をカード送出し口側から見た正面図である。
【図３】  図１、図２のカード類の送出し装置において、該装置を側方から見た側面図である。
【図４】  本発明に係るカード類の送出し装置を採用する下出しタイプのカードディスペンサーの概略斜視図である。
【図５】  本発明に係るカード類の送出し装置の第２の実施形態を示し、その要部構成を説明するための概略構成図である。
【図６】  図５をカード送出し口側から見た正面図である。
【図７】  図５、図６のカード類の送出し装置において、該装置を側方から見た側面図である。
【図８】  本発明に係るカード類の送出し装置を採用する上出しタイプのカードディスペンサーの概略斜視図である。
【発明を実施するための形態】
【００２３】  図１ないし図４は本発明に係るカード類の送出し装置の一実施形態を示す。
【００２４】  ここで、この実施形態では、このカード類の送出し装置１を、図４に示すように、複数のカード類１１を積み重ねて収納する収納箱１２と、この収納箱１２にカード類１１を収納した際に最下部に位置するカード類１１を送出し方向へ移動するために下方への力を与える加重手段（図示しないが、例えばカード板）と、この加重手段による力を受けて最下位置のカード類１１を送出し方向へ移動させる搬送手段１４とを備え、この搬送手段１４により最下位置のカード類１１を送出し方向に移動させる下出しタイプのカードディスペンサー装置１０に採用した場合を説明する。
【００２５】  なお、この図４では、カードディスペンサー装置１０において、該装置１０における背面板と上蓋とを取り外した状態を示している。
【００２６】  これらの図において、図中１５は後述する各ローラに駆動力を与える駆動モータ、１６は該駆動モータ１５のモータ軸上に嵌合して設けられた駆動ギヤ、１７はカード類１１を前方へ押出すための押出しローラ、１８は該押し出しローラ１７の軸上に設けられた押出しギヤ、１９はカード類を排出する下側送りローラ、２０はカード類を排出する上側送りローラ、２１は該下側送りローラ１９の軸上に設けられた下側送りギヤ、２２は該上側送りローラ２０の軸上に設けられた上側送りギヤ、２３は各ギヤに駆動力を伝える駆動ベルトである。
【００２７】  上述した駆動モータ１５を初めとする構成部品によってカード類１１の搬送手段１４が構成され、これにより複数枚のカード類１１を収納する収納部である収納箱１２の下部から搬送路に１枚ずつ繰り出されたカード類１１を、図１、図４中左側に位置する送出し口３から１枚ずつ送り出す送出し装置１が構成されている。
【００２８】  本発明によれば、上述したようなカード類１１の搬送手段１４による送出し装置１において、前記送出し口近くの搬送路２上に設けられ、搬送するカード類１１の厚さを所定厚さの間隙（ｄ１）に制限するカード類厚さ制限手段４を備えている。
【００２９】  このカード類厚さ制限手段４は、搬送路２上を搬送されるカード類１１の厚さを所定の値に制限する間隙ｄ１を調整するための偏心カム３０を有する。すなわち、この偏心カム３０のカム面は、前記搬送路２の一部を構成するガイドプレート３１を搬送路２に対して進退動作させ、これにより該ガイドプレート３１と対向して配置した固定ガイドとしての上部プレート３７との間でカード類１１の厚さを所定値以下に規制する役割りを果たす。
換言すれば、前記ガイドプレート３１を搬送路２に対し進退動作させることにより、該搬送路２でのカード類１１の通過隙間を適宜の寸法に調整することにより、ここを通過するカード類１１の厚さを所要の厚さに制御することができるのである。
【００３０】  ここで、このガイドプレート３１は、図１に示すように、一端が回動自在に支持された状態で設けられ、その他端側が搬送路２に対し進退動作することで上部プレート３７との間の間隙を広げたり狭めたりするようになっている。前記偏心カム３０のカム面は、該ガイドプレート３１の下方から当接するように臨み、該ガイドプレート３１を押すことで回動動作させるようになっている。
【００３１】  また、上述した偏心カム３０は、装置外部からの回動操作を可能とする操作部としての操作レバー３２を有する。この操作レバー３２は、図２、図３に示されるように、該装置１０を外枠を構成する一対の側部フレーム３３，３４の一方の外側で前記偏心カム３０の支軸３０ａの外方端に設けられ、外部操作により適宜回動動作されるように構成されている。
【００３２】  図３中３２ａは側部フレーム３３の外側などに設けられ操作レバー３２の回動操作量の目安となる目盛りであり、操作者はこの目盛り３２ａを見ながら操作レバー３２の操作位置を調整することにより、前記偏心カム３０によるガイドプレート３１の搬送路２への進退動作量、つまりカード類１１の厚さを規定する間隙が適切であるか否かを外部から視認することができるものである。
【００３３】  また、この操作レバー３２は、装置１０の稼働時などには外部からの外力で操作されないように保護手段、ここでは止めビス３５等を設けておくとよい。このようにすれば、カード類１１の変更時等において厚さを調整する必要性があったときにのみ、操作レバー３２を操作可能とし、それ以外は無用な回動操作を防止し、稼働時におけるいたずら等に対して効果を発揮し得るものである。勿論、このような保護手段としては、保護カバーを設ける等であってもよい。
【００３４】  さらに、例えば、この種の装置１０では、鍵付きの点検口等を有するものであり、この点検口を開けたときに、前記操作レバー３２を調整操作できるように構成してもよい。
【００３５】  また、図１中、４０は搬送路２の下流側に設けられた送りセンサであり、搬送路２上を搬送されてくるカード類１１を検出するようになっている。４１は搬送路２の上流側である収納箱１２の下部に設けられた終了センサで、該収納箱１２内にカード類１１がなくなったときに動作し、装置動作を終了させる役割りを果たす。
【００３６】  上述した構成において、図示しない制御装置からの信号でモータ１５が順回転し、前記駆動ベルト２３が矢印ａの方向へ回動する。これにより、該駆動ベルト２３で押出しギアー１８に回転力が伝達されて前記押出しローラ１７が押出し方向へ回転して前記カード類１１を前方へ押出す。
【００３７】  ここで、予め、操作レバー部３２を操作して前記偏心カム３０を回転させて前記ガイドプレート３１と前記上部プレート３７との間隙がカード類１１の厚さに伴った寸法に調整しておく。
【００３８】  また、偏心カム３０は、前記操作レバー部３２に配設、あるいは一体となっており、該操作レバー部３２の周囲にはカード類が通過する間隙３８の厚さ寸法となる目盛り３２ａが記されている。たとえば下端を最大幅の１．３ｍｍ、上端を最小の０．３ｍｍと記すとすると、前記操作レバー部３２を下端に回動すると最大の開口幅に設定できる。また、該操作レバー部３２を上端に回動すると最小の間隙３８に設定できる。
【００３９】  ここで、該操作レバー３２を任意の回動位置で固定するために、例えば止めビス３５で回動しないように固定する方法等がある。このようにすれば、押出されたカード類１１が１枚のみ通過できるように間隙３８を、ビス３５を緩めてレバー操作するという極めて簡単な操作により、ワンタッチで容易に確実に設定することができるものである。
【００４０】  前記操作レバー部３２の周囲に記するカード厚さを規定する間隙寸法の数値は、間隙の高さ寸法であっても、通過するカードの厚さであってもよい。また、最大幅と最小幅はこの数値に限らず、自由に設定できるものとすることができる。
【００４１】  なお、この実施形態では、搬送路２はガイドプレート３１で形成されるようになっており、偏心カム３０のカム面は該ガイドプレート３１を押圧するようになっているだけである。したがって、この実施形態では、偏心カム３０を支軸３０ａ上の軸線方向（カード搬送路２の幅方向）の所定間隔をおいた２個所に設けている。
【００４２】  以上のようにして、カード類１１の厚さを規制するように調整された間隙３８を通過したカード類１１は、前記下側送りローラ１９で前方へ送られるが、このときに前記上側送りローラ２０は図示されないクラッチが働いて動かない。さらに、カード類１１が前方へ送られると、送りセンサ４０でカード類１１を検知し一瞬の間、前記駆動モータ１５が停止し、図示されない下側送りローラ１９のクラッチが働き、図示されない上側ローラ２０のクラッチはＯＦＦする。
【００４３】  さらにまた、前記駆動モータ１５が一瞬、停止した後、該駆動モータ１５は反転する。該駆動モータ１５が反転すると、下側送りローラ１９は停止しているが、上側送りローラ２０がカード類１１を前方へ送るように回転する。そして、該カード類１１が排出されると、前記駆動モータ１５は停止する。
【００４４】  なお、カード収納箱１２のカード類１１を全て排出したら、終了センサー４１が検知し、図示しない手段でカード類１１が無くなったことを使用者に報知するように構成されている。
【００４５】  以上の構成によれば、偏心カム３０の偏心に伴うカム面によって、カードガイドであるガイドプレート３１の搬送路２側への進退動作量を調整し、上部プレート３７との間の間隙を、カード類１１の所定の厚さ以下に規制するようにしているため、それ以上の厚さをもつカード類１１の送出しを防止することができる。
【００４６】  また、偏心カム３０を装置外部からレバー操作することで、カード類１１の厚さを規定するための間隙調整を所要の寸法に迅速かつ確実に操作することができるものであり、その実用上での効果は大きい。特に、このような間隙調整は、主装置の稼働時間以外に行われるものであり、装置外部からのレバー操作だけで間隙調整が行えることは、従来のように分解することが必要であった方法に比べてその利点は大きい。
【００４７】  図５ないし図８は本発明の第２の実施形態を示す。
この実施形態では、カード類の送出し装置１を、図８に示すように。複数のカード類１１を積み重ねて収納する収納箱１２内でカード類１１を上下に移動させる昇降手段となる移動板５０と、この昇降手段の移動板５０で前記収納箱１２の上部に移動したカード類１１の最も上部に位置するカード類を送出し方向へ移動させる搬送手段３Ａとを備え、この搬送手段３Ａで最上位置のカード類１１を送出し方向へ移動させるように構成された上出しタイプのカードディスペンサー１０Ａに採用した場合を示す。
【００４８】  ここで、５１はカード類収納箱１２の内部でカード類を載せる移動板５０を上下に移動させる駆動力を伝達する一対の上下移動ベルト（片側のみを示す）、５２は上下移動ベルトに駆動力を与える上下移動用モータ、５３は該上下移動用モータの回転を前記上下移動ベルト５１の上下移動に換えるベルト伝達ギヤで、該上下移動ベルト５１が上下方向に回動するための下端にあり、５４は上端で該上下移動ベルト５１を前記ベルト伝達ギヤ５３の上下方向へ回動するためのベルト支持ギヤである。
【００４９】  図示しない上下移動信号手段により、上下移動モータ５２が回転すると、伝達ギヤ５３が連動して回転し上下移動ベルト５１が回動すると、前記カード移動板５０の一端に取付けられたベルト金具が上下移動ベルト５３の一部に固定され、上下移動用モータ５２が回転すると該ベルト５１が周回してカード移動板５０がカード収納箱１２を上下に移動する。そして、前記移動板５０が上昇し、この移動板に積載されている複数枚のカード類１１の最上のカード類１１が最上位置で停止するように図示しない位置センサで制御している。
【００５０】  このように、最上位置で停止した一番上のカード類１１が本装置１０Ａから送り出される機構を、図５に示す。
【００５１】  図中５８は最上位置端に上昇した最上位置カード類を排出する原動力となる排出モータ、５９は該排出モータ５８のピニオンギヤ、６０はカード類１１を本装置１０Ａから排出させる上側送りローラで、６１は同カード排出用の下側送りローラ、６２は２枚目のカード類を出口と反対方向へ送る反転ローラ、６３は収納箱１２内で最上位置のカード類１１を前記送りローラ６０へ受け渡す駆動ローラ、６４は該カード類１１を該駆動ローラ６３から前記送りローラ６０へ受け渡した後に前記駆動ローラ６３と同軸で嵌合している駆動ギヤ６５の動作を無効にする図示しないクラッチを駆動するクラッチを駆動するソレノイドである。
【００５２】  ６６は前記送りローラ６０の軸に嵌合して設けられた送りギヤ、６７は前記反転ローラ６２の軸に嵌合している反転ギヤ、６８は図示しない前記クラッチと連動してアイドルギアー６９で前記駆動ローラ６３に回転力を伝達する駆動伝達ギヤ、７０は前記送りローラ６０へ、前記反転ローラ６２へ、及び、前記駆動ローラ６３へローラ駆動力を伝えるカード送りベルトである。
【００５３】  ここで、図示されない制御手段により本装置１０Ａがカードリフトアップ信号を受け取り、センサ検知しない場合、前記上下移動モータ５２が駆動して上下移動ベルト５１が回動し前記カード移動板５０を上昇させ、最上位置のカード類１１が上位端に達したところで図示しないセンサの検知により停止する。
【００５４】  このように、前記カード類１１が上位端に達したところで、図示されない制御手段により本装置１０Ａが送りカード信号を受け取り、前記排出モータ５８が駆動し前記ソレノイド６４が働いているので、前記駆動伝達ギアー６８が回転して前記アイドルギアー６９を介してカード類を前方へ送るように前記駆動ローラ６３が回転する。このとき、前記反転ローラ６２は２枚目のカード類１１を前方に進まないように回転する。
【００５５】  最上位置のカード類１１がさらに送られ、前記送りローラ６０と送りローラ６１に達すると、該送りローラ６０が最上位置である１枚目のカード類を上面から前方へ送るように回転しており、前記送りローラ６０と送りローラ６１により前方へ送り出される。前記送りローラ６０の前方位置近傍にある送りセンサー７１に前方へ送り出されたカード類１１が達すると、前記排出モータ５８が続いて回転しており、ソレノイド６４が停止する。
【００５６】  前記送りローラ６０が１枚目のカード類１１を前方へある一定の長さだけ送る。このとき、前記ソレノイド６４が働いていないので前記駆動ローラ６３は回転しない。そして、一番目のカード類１１が一定の長さだけ送られて前記排出モータ５８は停止する。
【００５７】  該モータ５８が停止した後、前記一番目のカード類が例えば３秒以内に取り出されれば、本装置１０Ａは通常の状態となる。この取り出し待機時間は３秒でなくとも、例えば、０．５秒から３０秒の間の任意の値であってもよい。
前記排出モータ５８が停止後、前記カード１１が３秒以内に取り出されなければ、図示されない制御手段にその故の信号を送り対処する。
【００５８】  そして、この実施形態においても、上述した搬送路２の途中に、偏心カム３０を利用したカード類厚さ調整機構４を設けている。そして、種々の厚さのあるカード類１１に応じて、装置の稼働時間外に厚さ調整を行うようにしている。
すなわち、操作レバー３２を装置外部から、所要の厚さ寸法等が記された位置に回転させるようにしている。また、その位置でカード厚さの間隙（ｄ２）をその寸法に規制するように前記偏心カム３０のカム面形状が形作られている。
【００５９】  ここで、この実施形態では、偏心カム３０のカム面を搬送路２に臨ませ、カード類１１の厚さ調整を直接行うように構成している。そのため、この実施形態では、偏心カム３０としては、図６に示すように、支軸３０ａ上の軸線方向（カード類１１の幅方向）に所定以上の長さを有するものを用い、反転ローラ６２と対向してカード類１１を搬送させることができるようになっている。
【００６０】  このように形作られた偏心カム３０を前記送りローラ６０，６１の手前に配設し、カード類１１の厚さに合わせた間隙を容易に確実に調整してカード類１１を１枚ずつ送りローラへ送ることができる。
そして、この間隙厚より厚く、例えば２枚を送っても、前記反転ローラ６２が２枚目のカード類を戻すように反転する。
【００６１】  このようにして、カードディスペンサ装置１０Ａの本体上部からカード類１１が排出される装置で、カード類１１の厚さの如何に関わらず、カード類１１を１枚ずつ確実に排出するために、カード類１１の厚さを規制する機構を容易に確実に切り替えることができる。これにより、稼動時間内であっても、短時間にカード類の厚さに切り替えることができるものである。
【００６２】  なお、本発明は上述した実施の形態で説明した構造には限定されず、カード類１１の送出し装置１を構成する各部の形状、構造等を適宜変形、変更し得ることはいうまでもない。
【００６３】  たとえば上述した実施形態では、下出しタイプ、上出しタイプのカードディスペンサー１０，１０Ａに適用した場合を説明したが、本発明はこれに限定されず、種々の分野に用いられる機器、装置に採用してよいことは言うまでもない。
【００６４】  また、カード類１１としても、従来から周知のようなカード状物品の送出しに採用できるものであればどのようなものでもよい。
【符号の説明】
【００６５】  １  カード類の送出し装置
２  搬送路
３  カード類の送出し口
４  カード類厚さ制限手段
１０  カードディスペンサー装置
１１  カード類
１２  収納箱
１４  搬送手段（送出し装置）
１５  駆動モータ
３０  偏心カム
３１  ガイドプレート（カードガイド）
３２  操作レバー（操作レバー部）
３２ａ  目盛り
３５  止めビス（保護手段）
３７  上部プレート（固定ガイド）
４０  送りセンサ
４１  終了センサ
５０  移動板（昇降手段）
【図１】
2012197174.tif 000003
【図２】
2012197174.tif 000004
【図３】
2012197174.tif 000005
【図４】
2012197174.tif 000006
【図５】
2012197174.tif 000007
【図６】
2012197174.tif 000008
【図７】
2012197174.tif 000009
【図８】
2012197174.tif 000010